(57)【要約】【課題】  梱包作業効率の向上に適した段ボール箱上蓋押え止め具を生活用品などの用途と兼用する多機能蓋押え止め具として提供する。【解決手段】  長片１と中間片２と短片３とを互いに略平行な平板状として、中間片２の一端を長片１と連結し他端を短片３と連結して略Ｓ字状にするとともに、長片１と中間片２と直交する方向に連通する孔を設けて段ボール箱の上蓋を外側に折り曲げた状態に保持したり、ペン立てやフックにも利用できる多機能蓋押え止め具である。【選択図】図１
2008019001.tif 000002
【特許請求の範囲】
【請求項１】
長片と中間片と短片とを互いに略平行な平板状として、前記中間片の一端を長片と連結するとともに他端を短片と連結して略Ｓ字状にした多機能蓋押え止め具であって、前記長片と中間片と直交する方向に連通する孔をそれぞれ設けて、長片と中間片もしくは中間片と短片にて段ボール箱の上蓋を外側に折り曲げた状態に保持することを特徴とする多機能蓋押え止め具。
【請求項２】
前記長片と中間片と短片と直交する方向に連通する略円形状の孔をそれぞれ設け、少なくとも中間片の孔は他の片の孔よりも小径としたことを特徴とする請求項１記載の多機能蓋押え止め具。
【請求項３】
前記長片に設ける孔を瓢箪状としたことを特徴とする請求項１記載の多機能蓋押え止め具。
【発明の詳細な説明】
【技術分野】
【０００１】  本発明は段ボール箱の蓋押え止め具に関するものである。
【背景技術】
【０００２】  段ボール箱等の梱包作業時に蓋押えに手間がかかり、蓋押え止め具として種々提案がされている。例えば特許文献１のように２本の挟み片の一端が繋がってＵ字状を呈する蓋フラップ用クリップが提案されている。【０００３】
【特許文献１】実開平３−１１１９３１号公報
【発明の開示】
【発明が解決しようとする課題】
【０００４】  しかし、上記特許文献１のようにＵ字のみでは蓋を固定した時に反発してくる蓋によって広げられる可能性があり、未使用時に紛失する可能性が高いなどの不具合がある。【０００５】  本発明は、上記不具合を解消し、容易に蓋を固定可能で梱包作業効率の向上に適した上に未使用時に紛失することなく他用途で利用できる蓋押え止め具を提供することを目的とする。
【課題を解決するための手段】
【０００６】  本発明の多機能蓋押え止め具は、長片と中間片と短片とを互いに略平行な平板状として、前記中間片の一端を長片と連結するとともに他端を短片と連結して略Ｓ字状にしたものであって、前記長片と中間片と直交する方向に連通する孔をそれぞれ設けて、長片と中間片もしくは中間片と短片にて段ボール箱の上蓋を外側に折り曲げた状態に保持することで、力を加えずに片手で容易に上蓋を固定することを特徴とする。【０００７】  本発明の多機能蓋押え止め具は、上記に加えて前記長片と中間片と短片と直交する方向に連通する略円形状の孔をそれぞれ設け、少なくとも中間片の孔は他の片の孔よりも小径とすることでペン立てを兼ねることを特徴とする。【０００８】  本発明の多機能蓋押え止め具は、さらに、前記長片に設ける孔を瓢箪状として吸盤を差し込み、吊下げフックを兼ねることを特徴とする。
【発明の効果】
【０００９】  本発明多機能蓋押え止め具は長片と中間片と短片とを互いに略平行な平板状として、前記中間片の一端を長片と他端を短片とをそれぞれ連結して略Ｓ字状にするとともに、前記長片と中間片と直交する方向に連通する孔をそれぞれ設けて、長片と中間片もしくは中間片と短片にて段ボール箱の上蓋を外側に折り曲げた状態に保持するので、段ボール箱の蓋押えに力を加えずに片手で装着することができ、蓋押え以外のペン立てやフックにも利用できる。
【発明を実施するための最良の形態】
【００１０】  本発明の実施例形態について図面を参照し、その作用とともに説明する。ただし、以下の実施形態は本発明の例示に過ぎず、本発明はこれに限定されない。【００１１】  （第１実施）
図１乃至図４において、１００は多機能蓋押え止め具で平板状の長片１と平板状の中間片２と平板状の短片３とが互いに略平行となって、中間片２の一端はＵ字状の第一の連結片４Ａを介して長片１と連結されており、他端はＵ字状の第二の連結片４Ｂを介して短片３と連結されて、全体が略Ｓ字状となっている。なお、多機能蓋押え止め具１００は金属、プラスチック、その他のあらゆる素材で形成することができる。【００１２】  さらに、長片１には略円形状の大孔５１と大孔５１と連通した略円形状の小孔５２とからなる瓢箪状の孔５３と略円形状の孔５とが離間して設けられている。また、長片１の先端１１を楕円形にすることにより多機能蓋押え止め具１００による段ボール箱Ａの内側壁が破損することを防止し、滑らかに装着することができる。【００１３】  中間片２には長片１と直交する方向で、中心点が同位置になるよう長片１の孔５と大孔５１とにそれぞれ連通する略円形状の孔６と６１が設けられている。【００１４】  短片３には中間片２と直交する方向で、中心点が同位置になるよう中間片２の孔６に連通する略円形状の大孔７が設けられており、前記大孔７は略円形状の小孔７１と連通して瓢箪状の孔７３に形成されている。また、短片３の先端縁３１は直線状となっている。【００１５】  次に、段ボール箱Ａの上蓋Ａ１を外側に折り曲げて図３および図４に記載のように多機能蓋押え止め具１００の長片１が段ボール箱Ａの内部Ａ２となるよう多機能蓋押え止め具１００を差し込んで第一の連結片４Ａを軽く押すだけで段ボール箱Ａの上蓋Ａ１に固定可能である。又作業終了時は短片３もしくは第二の連結片４Ｂを指で押し上げると容易に多機能蓋押え止め具１００を段ボール箱Ａの上蓋Ａ１から外すことができる。【００１６】  本発明の多機能蓋押え止め具１００は上記のように段ボール箱Ａの上蓋Ａ１を外側に折り曲げた状態に保持することができるとともに、以下、種々の用途に利用できる。【００１７】  図５において、多機能蓋押え止め具１００の短片３を下面とすると、長片１が所定角傾斜してボールペンなどの筆記具Ｂを長片１の孔５および大孔５１に筆記具Ｂのペン先を差し入れ、中間片２の孔６および６１に差し込むことにより筆記具Ｂが転倒しなくなるので、ペン立てとして利用できる。なお、短片３の先端縁３１は直線状となっているので、ペン立てとして使用時に安定させることができる。【００１８】  図６において、多機能蓋押え止め具１００の長片１を下面とすると、短片３が上面で短片３と中間片２と長片１とが互いに略平行となってボールペンなどの筆記具Ｂを短片３の大孔７に差し入れ、中間片２の孔６に筆記具Ｂのペン先を差し込むことにより筆記具Ｂが転倒しなくなるので、ペン立てとして利用できる。【００１９】  図７において、多機能蓋押え止め具１００の短片３の大孔７に吸着盤Ｃのダボ部Ｃ１を挿入して小孔７１に係止させたり、図８において、多機能蓋押え止め具１００の長片１の大孔５１に吸着盤Ｃのダボ部Ｃ１を挿入して小孔５２に係止させることにより、吊下げに限定されない移動可能なインテリアフックになる。【００２０】  図９において、多機能蓋押え止め具１００の第一の連結片４Ａまたは第二の連結片４Ｂを水平上の枠・棒等の桟Ｄに引っ掛けて吊下げることができるフックとなる。【００２１】  （第２実施）
図１０は多機能蓋押え止め具１００の異なる実施例で、第１実施例と異なる点は、短片３をカール状に折り曲げた形状をした短片３０としており、第１実施例と同様に段ボール箱の蓋押えやペン立てやフックとして利用できる。
【図面の簡単な説明】
【００２２】
【図１】本発明の実施例を示す斜視図である。
【図２】本発明の実施例を示す断面図である。
【図３】本発明の多機能蓋押え止め具を段ボール箱の蓋押えとした使用状態を示す斜視図である。
【図４】同上の部分断面図である。
【図５】本発明の多機能蓋押え止め具をペン立てとした使用状態を示す斜視図である。
【図６】本発明の多機能蓋押え止め具をペン立てとした、異なる使用状態を示す斜視図である。
【図７】本発明の多機能蓋押え止め具を吸着盤のあるインテリアフックとした使用状態を示す斜視図である。
【図８】本発明の多機能蓋押え止め具を吸着盤のあるインテリアフックとした、異なる使用状態を示す斜視図である。
【図９】本発明の多機能蓋押え止め具を桟に吊り下げるフックとした使用状態を示す斜視図である。
【図１０】本発明の第２実施例を示す斜視図である。
【００２３】
【符号の説明】
１  長片
２  中間片
３  短片
３０  短片
４Ａ  第一の連結片
４Ｂ  第二の連結片
５  孔
５１  大孔
５２  小孔
６  孔
６１  孔
７１  大孔
７２  小孔
【図１】
2008019001.tif 000003
【図２】
2008019001.tif 000004
【図３】
2008019001.tif 000005
【図４】
2008019001.tif 000006
【図５】
2008019001.tif 000007
【図６】
2008019001.tif 000008
【図７】
2008019001.tif 000009
【図８】
2008019001.tif 000010
【図９】
2008019001.tif 000011
【図１０】
2008019001.tif 000012
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
長辺と中間片と短辺とを互いに略平行な平板状として、前記中間片の一端を長辺と連結するとともに他端を短辺と連結して略Ｓ字状にして、長辺と中間片もしくは中間片と短片にて段ボール箱の上蓋を外側に折り曲げた状態に保持してなる多機能蓋押え止め具であって、前記長辺と中間片と短辺と直交する方向に連通する孔をこれら長辺、中間片および短片のそれぞれに設け、少なくとも中間片の孔は他の片の孔よりも小径としたことを特徴とする多機能蓋押え止め具。
【請求項２】
前記長辺または短片の孔を略円形状としたことを特徴とする請求項１記載の多機能蓋押え止め具。
【請求項３】
前記長辺または短片の孔を瓢箪状としたことを特徴とする請求項１記載の多機能蓋押え止め具。
【手続補正２】
【補正対象書類名】明細書
【補正対象項目名】全文
【補正方法】変更
【補正の内容】
【発明の詳細な説明】
【技術分野】
【０００１】  本発明は段ボール箱の蓋押え止め具に関するものである。
【背景技術】
【０００２】  段ボール箱等の梱包作業時に蓋押えに手間がかかり、蓋押え止め具として種々提案がされている。例えば特許文献１のように２本の挟み片の一端が繋がってＵ字状を呈する蓋フラップ用クリップが提案されている。【０００３】
【特許文献１】実開平３−１１１９３１号公報
【発明の開示】
【発明が解決しようとする課題】
【０００４】  しかし、上記特許文献１のようにＵ字のみでは蓋を固定した時に反発してくる蓋によって広げられる可能性があり、未使用時に紛失する可能性が高いなどの不具合がある。【０００５】  本発明は、上記不具合を解消し、容易に蓋を固定可能で梱包作業効率の向上に適した上に未使用時に紛失することなく他用途で利用できる蓋押え止め具を提供することを目的とする。
【課題を解決するための手段】
【０００６】  本発明の多機能蓋押え止め具は、長辺と中間片と短辺とを互いに略平行な平板状として、前記中間片の一端を長辺と連結するとともに他端を短辺と連結して略Ｓ字状にして、長辺と中間片もしくは中間片と短片にて段ボール箱の上蓋を外側に折り曲げた状態に保持して、前記長辺と中間片と短辺と直交する方向に連通する孔をこれら長辺、中間片および短片のそれぞれに設け、少なくとも中間片の孔は他の片の孔よりも小径とすることで、力を加えずに片手で容易に上蓋を固定するとともに、ペン立てやフックにも利用できることを特徴とする。【０００７】  本発明の多機能蓋押え止め具は、上記に加えて前記長辺または短片の孔を略円形状としたことを特徴とする。【０００８】  本発明の多機能蓋押え止め具は、さらに、前記長辺または短片の孔を瓢箪状として吸盤を差し込み、吊下げフックを兼ねることを特徴とする。
【発明の効果】
【０００９】  本発明多機能蓋押え止め具は長辺と中間片と短辺とを互いに略平行な平板状として、前記中間片の一端を長辺と連結するとともに他端を短辺と連結して略Ｓ字状にして、長辺と中間片もしくは中間片と短片にて段ボール箱の上蓋を外側に折り曲げた状態に保持して、前記長辺と中間片と短辺と直交する方向に連通する孔をこれら長辺、中間片および短片のそれぞれに設け、少なくとも中間片の孔は他の片の孔よりも小径とすることにより、長辺と中間片もしくは中間片と短片にて段ボール箱の上蓋を外側に折り曲げた状態に保持して、段ボール箱の蓋押えに力を加えずに片手で装着することができるとともにペン立てやフックにも利用できる。さらに長辺または短片に瓢箪状の孔を設けて吸盤を差し込み、吊下げフックを兼ねることができる。
【発明を実施するための最良の形態】
【００１０】  本発明の実施例形態について図面を参照し、その作用とともに説明する。ただし、以下の実施形態は本発明の例示に過ぎず、本発明はこれに限定されない。【００１１】  （第１実施）
図１乃至図４において、１００は多機能蓋押え止め具で平板状の長片１と平板状の中間片２と平板状の短片３とが互いに略平行となって、中間片２の一端はＵ字状の第一の連結片４Ａを介して長片１と連結されており、他端はＵ字状の第二の連結片４Ｂを介して短片３と連結されて、全体が略Ｓ字状となっている。なお、多機能蓋押え止め具１００は金属、プラスチック、その他のあらゆる素材で形成することができる。【００１２】  さらに、長片１には略円形状の大孔５１と大孔５１と連通した略円形状の小孔５２とからなる瓢箪状の孔５３と略円形状の孔５とが離間して設けられている。また、長片１の先端１１を楕円形にすることにより多機能蓋押え止め具１００による段ボール箱Ａの内側壁が破損することを防止し、滑らかに装着することができる。【００１３】  中間片２には長片１と直交する方向で、中心点が同位置になるよう長片１の孔５と大孔５１とにそれぞれ連通する略円形状の孔６と６１が設けられている。【００１４】  短片３には中間片２と直交する方向で、中心点が同位置になるよう中間片２の孔６に連通する略円形状の大孔７が設けられており、前記大孔７は略円形状の小孔７１と連通して瓢箪状の孔７３に形成されている。また、短片３の先端縁３１は直線状となっている。【００１５】  次に、段ボール箱Ａの上蓋Ａ１を外側に折り曲げて図３および図４に記載のように多機能蓋押え止め具１００の長片１が段ボール箱Ａの内部Ａ２となるよう多機能蓋押え止め具１００を差し込んで第一の連結片４Ａを軽く押すだけで段ボール箱Ａの上蓋Ａ１に固定可能である。又作業終了時は短片３もしくは第二の連結片４Ｂを指で押し上げると容易に多機能蓋押え止め具１００を段ボール箱Ａの上蓋Ａ１から外すことができる。【００１６】  本発明の多機能蓋押え止め具１００は上記のように段ボール箱Ａの上蓋Ａ１を外側に折り曲げた状態に保持することができるとともに、以下、種々の用途に利用できる。【００１７】  図５において、多機能蓋押え止め具１００の短片３を下面とすると、長片１が所定角傾斜してボールペンなどの筆記具Ｂを長片１の孔５および大孔５１に筆記具Ｂのペン先を差し入れ、中間片２の孔６および６１に差し込むことにより筆記具Ｂが転倒しなくなるので、ペン立てとして利用できる。なお、短片３の先端縁３１は直線状となっているので、ペン立てとして使用時に安定させることができる。【００１８】  図６において、多機能蓋押え止め具１００の長片１を下面とすると、短片３が上面で短片３と中間片２と長片１とが互いに略平行となってボールペンなどの筆記具Ｂを短片３の大孔７に差し入れ、中間片２の孔６に筆記具Ｂのペン先を差し込むことにより筆記具Ｂが転倒しなくなるので、ペン立てとして利用できる。【００１９】  図７において、多機能蓋押え止め具１００の短片３の大孔７に吸着盤Ｃのダボ部Ｃ１を挿入して小孔７１に係止させたり、図８において、多機能蓋押え止め具１００の長片１の大孔５１に吸着盤Ｃのダボ部Ｃ１を挿入して小孔５２に係止させることにより、吊下げに限定されない移動可能なインテリアフックになる。【００２０】  図９において、多機能蓋押え止め具１００の第一の連結片４Ａまたは第二の連結片４Ｂを水平上の枠・棒等の桟Ｄに引っ掛けて吊下げることができるフックとなる。【００２１】  （第２実施）
図１０は多機能蓋押え止め具１００の異なる実施例で、第１実施例と異なる点は、短片３をカール状に折り曲げた形状をした短片３０としており、第１実施例と同様に段ボール箱の蓋押えやペン立てやフックとして利用できる。
【図面の簡単な説明】
【００２２】
【図１】本発明の実施例を示す斜視図である。
【図２】本発明の実施例を示す断面図である。
【図３】本発明の多機能蓋押え止め具を段ボール箱の蓋押えとした使用状態を示す斜視図である。
【図４】同上の部分断面図である。
【図５】本発明の多機能蓋押え止め具をペン立てとした使用状態を示す斜視図である。
【図６】本発明の多機能蓋押え止め具をペン立てとした、異なる使用状態を示す斜視図である。
【図７】本発明の多機能蓋押え止め具を吸着盤のあるインテリアフックとした使用状態を示す斜視図である。
【図８】本発明の多機能蓋押え止め具を吸着盤のあるインテリアフックとした、異なる使用状態を示す斜視図である。
【図９】本発明の多機能蓋押え止め具を桟に吊り下げるフックとした使用状態を示す斜視図である。
【図１０】本発明の第２実施例を示す斜視図である。
【符号の説明】
【００２３】１  長片
２  中間片
３  短片
３０  短片
４Ａ  第一の連結片
４Ｂ  第二の連結片
５  孔
５１  大孔
５２  小孔
６  孔
６１  孔
７１  大孔
７２  小孔